(57)【特許請求の範囲】
【請求項１】
ＳＤＨネットワークのパス・スイッチ・リング制御装置であって、
前記ＳＤＨネットワークの二重化されたリングパスのいずれか１つを選択するスイッチ部と、
前スイッチ部で選択したリングパス上のＳＤＨ信号をＰＤＨ信号に変換してから出力する受信部と、
入力されたＰＤＨ信号をＳＤＨ信号に変換してから前記二重化されたリングパス上へ出力する送信部と、を備え、
前記スイッチ部は、前記ＳＤＨネットワークに内包されるＰＤＨサブネットワークの存在を判定するためのメッセージを検出する機能を有し、その機能が一方のリングパス上のＳＤＨ信号だけに前記メッセージが含まれることを検出すると、該検出した側のリングパスを選択することを特徴とするパス・スイッチ・リング制御装置。
【発明の詳細な説明】
【０００１】
【発明の属する技術分野】
本発明は、ＳＤＨ網（ＳＤＨ: Synchronous Digital Hierarchy ）によるパス・スイッチ・リング（ＰＳＲ: Path Switch Ring）方式に関し、特に前記ＳＤＨ伝送網にＰＤＨ網（ＰＤＨ: Presiochronous Digital Hierarchy）によるＰＤＨサブネットワークを接続する場合に、前記ＰＤＨサブネットワークで発生した障害を救済できるパス・スイッチ・リング制御装置に関するものである。
【０００２】
【従来の技術】
ＳＤＨ伝送網においては、回線障害等を救済するために信号伝送ラインを冗長構成とするＭＳＰ (Multiplex Section Protection) 方式や、伝送路をリング状に構成しＶＣ (Virtual Container)パスで冗長性を持たせるパススイッチリング方式（ＰＳＲ）が用いられている。いずれの方式も伝送路の障害に対してサービスを継続するための方式であり、例えば前者のＭＳＰ方式は大都市間を結ぶリニアな基幹系光ネットワークを構築する場合に用いられ、また後者のＰＳＲ方式はその都市内での複雑な伝送を行うネットワークに用いられる。
【０００３】
パス・スイッチ・リング・ネットワークでは、例えばリング伝送路上でＳＤＨインタフェースポイントを備えた２つのネットワーク・エメント（ＮＥ）ａ，ｂがそれぞれのＳＤＨインタフェースポイントを介してサービスを提供する場合、送信側のＮＥａは受信側のＮＥｂへ向かう時計回り及び反時計回りの両方のＶＣパス上に同じ信号を送出し、また受信側のＮＥｂでは前記両方向から与えられる信号の何れかをパス・スイッチ機能を使って例えば両者の回線品質の比較から高品質なものを選択する。この場合、一方の伝送路上（時計回り又は反時計回り）で回線障害が発生しても、受信側のＮＥｂでは前記パス・スイッチ（ＰＳＷ）機能を使ってもう一方の正常な伝送路を選択するためサービスが継続される。
【０００４】
ＳＤＨフレームは、ディジタル信号を多重化・クロスコネクティングする上での基本的な処理対象であり、９オクテットのセクションオーバヘッド（ＳＯＨ）と２６１オクテットの仮想コンテナ（ＶＣ）からなる。従来のパス・スイッチ・リング（ＰＳＲ）方式は、例えば仮想コンテナ４（ＶＣ−４）のパス・オーバーヘッド（ＰＯＨ）に含まれる回線品質モニター用パリティーバイト（Ｂ３）、パストレースバイト（Ｊ１）、そしてシグナルラベルバイト（Ｃ２）を監視することで回線品質が良好な側のパスを選択していた。
【０００５】
【発明が解決しようとする課題】
しかしながら、上記リング・ネットワークではサービスアクセスポイント以外でのパス・スイッチ機能を用いたＶＣパスの終端は許されていないことから、第１の問題点として、ＳＤＨリング・ネットワークの冗長ルート（時計回り又は反時計回り）の一部として既存のＰＤＨネットワークを使用したり、また前記冗長ルートを別のネットワークサプライヤーのＰＤＨネットワークに接続するような場合に、そのＰＤＨネットワーク内で発生した障害がＳＤＨネットワーク側では検出できないという問題があった。この場合にはＳＤＨネットワーク側で適切なパスの選択が行われず、サービス断が発生する。
【０００６】
また、第２の問題点として、前記ＰＤＨサブネットワークにさらにクロス・コネクト装置（ＰＤＨＤＸＣ: PDH Digital Exchange）が存在する場合には、そのクロス・コネクト装置でパス設定誤りが発生すると、その誤接続によって誤った信号がＳＤＨネットワーク側のサービスアクセスポイントに与えられ、そのため上記障害の検出が一層困難となるという問題があった。
【０００７】
さらに、第３の問題点として、前記ＰＤＨサブネットワークにさらにＳＤＨリング・サブネットワークが内包的に接続されている場合には、ＰＤＨサブネットワーク上で障害が発生すると前記障害信号がＳＤＨリング・サブネットワークの時計回り及び反時計回りの両方に送出されるため、その受信側のネットワーク・エメント（ＮＥ）において各方向からの信号遅延によって不必要なパス・スイッチング（ＰＳＷ）や上位装置へのそのイベント通知等が発生するという問題があった。
【０００８】
さらにまた、第４の問題点として、ＳＤＨネットワークとＰＤＨサブネットワークとの接続によってその間を通過するパスにはＰＤＨ／ＳＤＨ多重・分離の際のマッピング／デマッピング・ジッタが発生し、それが累積されて回線品質が劣化するという問題があった。
【０００９】
そこで本発明の目的は、上記各問題点に鑑み、ＰＤＨのサブネットワークを含むＳＤＨリングネットワークにおいてＰＤＨサブネットワークで上記のような障害が発生した場合でもサービスを救済し、また上記不必要なパス切替え動作を抑止し、さらに上記回線品質の劣化の影響を回避するために、回線の正常時は自動的にＰＤＨサブネットワークを含まない側のパスを選択するＳＤＨネットワークにおけるパス・スイッチ・リング制御装置を提供することを目的とする。
【００１０】
【課題を解決するための手段】
本発明は、ＰＤＨサブネットワークを含むＳＤＨネットワークにおけるパス・スイッチ・リング制御装置であって、前記装置は、前記ＳＤＨネットワークとインタフェースする双方向の２つのＳＤＨインタフェース部、前記２つのＳＤＨインタフェース部で受信されたＳＤＨ信号が入力され、その内の何れか１つを選択して出力するパススイッチング部、前記パススイッチング部からのＳＤＨ信号をＰＤＨ信号にデマッピングし、そのＰＤＨ信号を出力する受信側機能部、そして入力されたＰＤＨ信号をＳＤＨ信号にマッピングし、そのＳＤＨ信号を前記２つのＳＤＨインタフェース部に送信信号として与える送信側機能部を基本的な構成要素として備える。
【００１１】
本発明によれば、前記送信側機能部は、前記入力されるＰＤＨ信号を監視してそのＰＤＨ信号の品質の劣化を検出すると送信アラーム信号を作成する送信アラーム検出部、前記送信アラーム検出部からの送信アラーム信号のパスオーバヘッド情報を生成するパスオーバヘッド生成部、そして前記パスオーバヘッド生成部で生成されたパスオーバヘッド情報を前記マッピング後のＳＤＨ信号のパスオーバヘッドに挿入するパスオーバヘッド挿入部を有する。
【００１２】
前記送信側機能部は、さらに前記入力されたＰＤＨ信号のフレーム信号の中から所定のトレースデータを挿入したビット位置を検出し、そのトレースデータの読み込みタイミングを生成するフレーム検出部、そして前記フレーム検出部からのトレースデータ読み込みタイミングに従って前記トレースデータを読み込み、そのトレースデータとトレースデータ受信期待値とを比較して、それらが不一致のときに不一致アラーム信号を出力するパストレース部を有し、前記送信アラーム検出部は、さらに前記パストレース部からの前記不一致アラーム信号を含む前記送信アラーム信号を作成する。
【００１３】
前記パストレース部は、前記トレースデータとトレースデータ受信期待値との比較に代えて前記トレースデータをそのまま出力し、そして前記パスオーバヘッド生成部は、前記パストレース部からのトレースデータ及び前記送信アラーム信号のパスオーバヘッド情報を生成する。また、前記パスオーバヘッド生成部は、さらに前記ＰＤＨサブネットワーク通過の判断のためのパススイッチ機能有効メッセージが設定され、そのパススイッチ機能有効メッセージのパスオーバヘッド情報を生成する。
【００１４】
また本発明によれば、前記パススイッチング部は、前記２つのＳＤＨインタフェース部で受信された各ＳＤＨ信号のいずれか一方を選択するパススイッチ部、前記２つのＳＤＨインタフェース部で受信された各ＳＤＨ信号のパスオーバヘッドを監視し、前記ＰＤＨサブネットワーク上のＰＤＨ信号の品質劣化を示す送信アラーム情報を検出すると前記各受信信号対応に送信アラーム検出信号を出力するパスモニタ部、そして前記パスモニタ部から前記各受信信号対応の送信アラーム検出信号が与えられ、前記送信アラームの非検出側を選択するように前記パススイッチ部の切り換え制御を行うパススイッチ制御部を有する。
【００１５】
前記パスモニタ部は、前記各ＳＤＨ信号のパスオーバヘッドを監視するのに代えて若しくはそれと共に、前記各ＳＤＨ信号の仮想コンテナ内の情報を監視し、前記ＰＤＨサブネットワーク上のＰＤＨ信号の品質劣化を示す送信アラーム情報を検出すると前記各受信信号対応に送信アラーム検出信号を出力する。前記パスモニタ部は、さらに前記パスモニタ部から前記パススイッチ制御部に与えられる前記各受信信号対応の送信アラーム検出信号を監視し、前記各送信アラーム検出信号が所定時間以上継続しない場合には前記前記パススイッチ制御部のスイッチ切り換え動作を禁止させるパスチェック部を有する。
【００１６】
また、前記パスモニタ部は、前記ＰＤＨサブネットワーク上のＰＤＨ信号の品質劣化を示す送信アラーム情報を検出するのに代えて、前記ＰＤＨサブネットワーク通過の判断のためのパススイッチ機能有効メッセージを検出するとパススイッチ機能有効メッセージ検出信号を出力し、そして前記パススイッチ制御部は、前記パススイッチ機能有効メッセージ検出信号が出力された側を選択するように前記パススイッチ部の切り換え制御を行う。
【００１７】
さらに本発明によれば、前記受信側機能部は、前記パススイッチング部からのＳＤＨ信号のパスオーバヘッドを抽出し、前記パスオーバヘッドにおける所定のパストレース情報を検出するパスオーバヘッド検出部、前記パスオーバヘッド検出部で検出されたパストレース情報に基づいてパストレースデータが設定されるトレースメモリ部、前記デマッピングされたＰＤＨ信号からフレーム信号を検出し、前記ＰＤＨ信号の所定のビット位置にパストレースデータを挿入するための挿入タイミングを生成するフレーム検出部、そして前記ＰＤＨ信号を、前記フレーム検出部からの挿入タイミングに従って前記トレースメモリ部からのパストレースデータを前記ＰＤＨ信号の所定のビット位置に順じ挿入してから出力するトレース挿入部を有する。
【００１８】
また、前記パスオーバヘッド検出部で検出されたパストレース情報が前記パストレースデータとして直接前記トレースメモリ部に設定されてもよい。なお、前記パストレース情報は、ＳＤＨ信号のパスオーバヘッドにおけるパストレースバイト（Ｊ１）、シグナルフェイルバイト（Ｂ３）、又はシグナルラベルバイト（Ｃ２）である。
【００１９】
【発明の実施の形態】
先ず、本願発明の実施例を説明する前に図１〜４を使って関連技術について簡単に説明しておく。
図１は、ＳＤＨパス・スイッチ・リングネットワークの一構成例を示したブロック図である。
図１の例では、ＳＤＨパス・スイッチ・リングネットワークの４つのネットワーク・エレメント（ＮＥ）１１〜１４の内、ＮＥ１１とＮＥ１３との間でＰＤＨインターフェースポイント１及び２を介したサービスが提供されている。
【００２０】
ネットワークが正常な場合には、ＮＥ１１及びＮＥ１３はそれぞれＮＥ１２及びＮＥ１４の双方に向かう仮想コンテナ（ＶＣ）パスへ同じ信号を送出し、そして前記ＮＥ１２及びＮＥ１４の両方から与えられる同じ信号の内、回線品質のよい方をパス・スイッチ機能（ＰＳＷ）を使って選択受信する。また、ＮＥ１１とＮＥ１２との間で障害１５が発生したような場合には、前記ＮＥ１１及びＮＥ１３は、共に前記パス・スイッチ機能によりＮＥ１４経由の正常ルートを選択してサービスを継続する。
【００２１】
図２は、ＳＤＨフレームの基本構造を示した図である。
図２に示すように、ＳＤＨフレームは、ディジタル信号を多重化・クロスコネクティングする上での基本的な処理対象であり、９オクテットのセクションオーバヘッド（ＳＯＨ）と２６１オクテットの仮想コンテナ（ＶＣ−４）からなる。同期ディジタル網では、ネットワークオペレーションを実行するにあたり、オペレーション情報をセクションに対応するセクションオーバヘッド（ＳＯＨ）とパスに対応する１オクテットのパスオーバヘッド（ＰＯＨ）とに分離し、それぞれを同期転送モジュール（ＳＴＭ：Synchronous Transport Module）及び仮想コンテナ（ＶＣ）に付与している。
【００２２】
管理ユニット（ＡＵ：Administrative Unit ）４ポインタは、仮想コンテナ４（ＶＣ−４）の最初のオクテットを識別するために用いられる。なお、仮想コンテナ４（ＶＣ−４）のパスオーバヘッド（ＰＯＨ）の内、図中のＪ１（パストレース）、Ｂ３（シグナルフェイル）、及びＣ２（シグナルラベル）の各バイトが本願発明と関連して回線品質の判断のために用いられる。
【００２３】
図３は、本発明の対称である同期（ＳＤＨ）ネットワークにおけるパス・スイッチ・リング制御装置の一構成例を示したものである。
図３には、具体例としてクロスコネクト機能を有するＡＤＭ（Add-Drop Multiplexing)装置を示している。前記装置は、大きくは点線で囲まれた２方向（Ｗ：West，Ｅ：East）のＳＤＨインタフェース部、その２方向からの信号の内の１つを選択するパススイッチング（ＰＳＷ）部３０、前記パススイッチング（ＰＳＷ）部３０で選択されたＳＤＨ信号をＰＤＨ信号にデマッピングして出力する受信側機能部５０、そしてＰＤＨ信号をＳＤＨ信号にマッピングして出力する送信側機能部４０で構成される。
【００２４】
なお、前記各ＳＤＨインタフェース−Ｅ，Ｗ部は、さらにＳＰＩ(Synchronous Physical Interface)部１５，２２、ＲＳＴ(Regenerator Section Termination) 部１６，２１、ＭＳＴ(Multiplex Section Termination) 部１７，２０、そしてＭＳＡ(Multiplex Section Adaptation)部１８，１９からなり、それらはＩＴＵ−Ｔ  Ｇ．７８３で規定するＶＣ信号／ＳＴＭ−ｎ信号の多重分離機能を実行する。前記各部は本願発明と直接関連しないためここではこれ以上説明しない。
【００２５】
図４は、図３に示すパススイッチング（ＰＳＷ）部３０の基本ブロック図である。
図４において、パスモニタ部（ＰＭＯＮ−Ｗ，Ｅ）３０２，３０３は、図３に示すＳＤＨインタフェース部を介してそれぞれ受信したＶＣパス信号（ＶＣＩＮ−Ｅ，Ｗ）のパスオーバヘッド（ＰＯＨ）をモニターし、その結果障害が検出されるとそれぞれ対応するパス・アラーム信号（Ｐ−ＡＬＭ−Ｗ，Ｅ）をパススイッチ制御部（ＰＳＷ  ＣＯＮＴ）３０１に通知する。前記パス・アラーム信号には、ＩＴＵ−ＴＧ．７８３ＴＡＢＬＥ４−７，４−１０で規定されるパストレース・ミスマッチやシグナルラベル・ミスマッチ等の各項目が含まれる。
【００２６】
また、図示されてない同期装置管理機能部（ＳＥＭＦ：Synchronous Equipment Management Function)からは前記各パスモニタ部３０２，３０３へマイクロコンピュータインタフェース（μ−ＣＯＮＩＮＦ）を介して前記アラーム項目の内のパストレース・ミスマッチやシグナルラベル・ミスマッチを検出するための受信期待値が与えられる。パススイッチ制御部（ＰＳＷ  ＣＯＮＴ）３０１は、前記各パス・アラーム信号（Ｐ−ＡＬＭ−Ｗ，Ｅ）の通知に従ってパススイッチ部（Ｐ−ＳＷ）３０４を切り換える。その結果、前記パススイッチ部３０４は２系統のＶＣパス信号（ＶＣＩＮ−Ｗ，ＶＣＩＮ−Ｅ）の内のいずれか１つを選択出力（ＶＣＰＳＷＯＵＴ）する。
【００２７】
以降では、前記基本構成を念頭に本願発明によるパス・スイッチ・リング制御装置の実施例について説明する。
図５〜図１５は、前述した第１の問題点を解決するための本願発明によるパス・スイッチ・リング制御装置の実施例を示したものである。
図５は、ＰＤＨサブネットワークを含むＳＤＨネットワークの一例を示している。
【００２８】
図５には、ＳＤＨリング・ネットワークの一部に点線で囲むＰＤＨサブネットワークが接続された場合を示している。ここでのサービスアクセスポイントは、ＳＤＨネットワーク側の２つのネットワーク・エレメント（ＳＤＨ  ＮＥ＃１，４）６１，６４のＡ点及びＢ点である。この場合、前記ＰＤＨサブネットワークと接続するＳＤＨ側の各ネットワーク・エレメント（ＳＤＨ  ＮＥ＃２，３）６２，６３において、それらと対向する各ＳＤＨネットワーク・エレメント（ＳＤＨ  ＮＥ＃１，４）６１，６４との間のＶＣパスは終端されることになる。
【００２９】
もし、サービスアクセスポイントＡのネットワーク・エレメント（ＳＤＨ  ＮＥ＃１）６１が反時計回りでネットワーク・エレメント（ＳＤＨ  ＮＥ＃２）６２からのパスを選択している時にＰＤＨサブネットワークのＣ点で障害が発生した場合、このままではネットワーク・エレメント（ＳＤＨ  ＮＥ＃１）６１はその障害を検出できない。従って、ネットワーク・エレメント（ＳＤＨ  ＮＥ＃１）６１におけるパス切り換えは行われず、サービスアクセスポイントＢ点からＡ点方向のサービスは断状態となる。
【００３０】
図６は、本願発明によるパス・スイッチ・リング制御装置の送信側機能部（図３の４０）の第１の実施例を示したものである。そして、図８は、図６の送信側機能部の基本処理フロー図である。
また、図７は、本願発明によるパス・スイッチ・リング制御装置のパススイッチング部（図３の３０）の第１の実施例を示したものである。そして、図９は、図７のパススイッチング部の基本処理フロー図である。また、図１０はＰ−ＡＬＭ処理の一例を、そして図１１はＳ−ＡＬＭ処理の一例を示している。
【００３１】
図６に示す送信機能部は、図５の例ではネットワーク・エレメント（ＳＤＨ  ＮＥ＃２）６２の送信機能部４０に対応する。図６の送信アラーム検出部（Ｓ−ＡＬＭＤＥＴ）４１３は、図５のＰＤＨサブネットワークから入力されるＰＤＨ信号（ＰＤＨＩＮ）を監視し、ＰＤＨ信号の品質劣化を検出すると送信アラーム信号（Ｓ−ＡＬＭ）を作成する。図８の処理フローはこのことを示している。なお、前記送信アラーム信号には、同期外れ（ＬＯＦ: Loss of Frame ）、警報信号（ＡＩＳ: Alarm Indication Signal ）、信号エラー（ＳＦ: Signal Failure）、そして信号劣化（ＳＤ: Signal Degradation）等のアラーム項目が含まれる。
【００３２】
パスオーバヘッド生成部（ＰＯＨ  ＧＥＮ）４１４は、所定の入力情報をパスオーバヘッド（ＰＯＨ）に付加するものであり、その情報には従来の同期装置管理機能部（ＳＥＭＦ）からマイクロコンピュータインタフェース（μ−ＣＯＮＩＮＦ）を介して与えられるシグナルラベル（Ｃ２）、パストレース（Ｊ１）情報に加えて前記送信アラーム検出部（Ｓ−ＡＬＭＤＥＴ）４１３からの送信アラーム信号（Ｓ−ＡＬＭ）や、出力信号（ＶＣＯＵＴ）からパリティ情報を生成するＢＩＰ(Bit Interleaved Parity)発生部４１５で生成されたＢＩＰ−ｎの値（Ｂ３）が含まれる。
【００３３】
マッピング部（ＭＡＰ）４１１は、ＰＤＨ入力信号をＳＤＨＶＣフレームにマッピングする。そして、パスオーバヘッド挿入部（ＰＯＨＩＮＳ）４１２は、前記パスオーバヘッド生成部（ＰＯＨ  ＧＥＮ）４１４からのパスオーバヘッド（ＰＯＨ）情報を前記マッピング部（ＭＡＰ）４１１からのＶＣパスのオーバヘッドバイト（ＯＨＢ）に挿入し、ＳＤＨ信号として出力する（ＶＣＯＵＴ）。
【００３４】
これにより、ＰＤＨ入力信号に障害が発生した時に対向する装置（図５の例ではネットワーク・エレメント（ＳＤＨ  ＮＥ＃１）６１）にアラームを転送することができる。なお、送信アラーム信号（Ｓ−ＡＬＭ）を転送するオーバヘッドバイト（ＯＨＢ）にはＩＴＵ−ＴＧ．７０Ｘで規定されている未定義のバイトが使用される。また、未定義のオーバヘッドビットが多数あるレイヤーでは送信アラーム信号（Ｓ−ＡＬＭ）を前述したＬＯＦ，ＡＩＳ，ＳＦ，そしてＳＤにそれぞれ分けて転送してもよい。さらに、未定義のオーバヘッドビットが少ないレイヤーではサービス断がすでに発生しているＬＯＦ，ＡＩＳ，ＳＦの論理和の１ビットとサービス断ではないが品質が低下していることを示すＳＤの１ビットの合計２ビットで転送しても良い。
【００３５】
図７のパススイッチング部は、図５の例でネットワーク・エレメント（ＳＤＨＮＥ＃１）６１のパススイッチング部３０に対応する。なお、図７で引用符号３０Ｘが付されたブロックについては図４で説明してあるためここでは更に説明しない。同様に、以降の各図面を用いた説明で先に説明してあるものには同一の符号を付しており、それらについては必要に応じて説明している。
【００３６】
図７のパスモニタ部（ＰＭＯＮ−Ｗ，Ｅ）３１２，３１３は、図４のパスモニタ部（ＰＭＯＮ−Ｗ，Ｅ）３０２，３０３と同様にＳＤＨインタフェース部を介してそれぞれ受信したＶＣパス信号（ＶＣＩＮ−Ｅ，Ｗ）のパスオーバヘッド（ＰＯＨ）をモニターするが、その際に従来のパスアラーム信号（Ｐ−ＡＬＭ−Ｗ，Ｅ）に加えて図６で付加された送信アラーム信号（Ｓ−ＡＬＭ）も合わせて検出する機能（Ｐ／Ｓ−ＡＬＭ−Ｗ，Ｅ）を有する。
【００３７】
従って、本実施例ではパススイッチ部（Ｐ−ＳＷ）３０４は、送信アラーム信号（Ｓ−ＡＬＭ）に対しても２系統のＶＣパス信号（ＶＣＩＮ−Ｗ，ＶＣＩＮ−Ｅ）の内のいずれか１つを選択出力（ＶＣＰＳＷＯＵＴ）するため、図５の例でＰＤＨ信号に障害が発生した場合にもネットワーク・エレメント（ＳＤＨ  ＮＥ＃１）６１の側でサービス救済が可能となる。図９では、先ずパス警報信号（Ｐ−ＡＬＭ）信号の検出を行い（Ｓ３１０）、Ｐ−ＡＬＭ信号が検出された場合にはＰ−ＡＬＭ処理（Ｓ３１２、図１０）を行い、Ｐ−ＡＬＭ信号が検出されない場合にはＳ−ＡＬＭ処理（Ｓ３１１、図１１）を行っている。なお、図１０でＰ−ＡＬＭ信号と合わせてＳ−ＡＬＭ処理（図１１）も行っている。
【００３８】
図１２は、本願発明によるパス・スイッチ・リング制御装置のパススイッチング部の第２の実施例を示したものである。そして、図１３は、図１２に示すパススイッチング部の基本処理フロー図である。また、図１４はＰ−ＡＬＭ処理の一例を、そして図１５はＲ−ＡＬＭ処理の一例を示している。
本実施例では、図６で送信側機能部４０に追加した送信警報検出部（Ｓ−ＡＬＭ  ＤＥＴ）４１３に相当する機能を受信側のパススイッチング部３０に受信警報検出部（Ｒ−ＡＬＭ  ＤＥＴ−Ｅ，Ｗ）３２５，３２６として新たに設ける。そして、前記受信警報検出部３２５，３２６で受信した各ＶＣパス内のペイロード信号を監視し、ＰＤＨ信号の品質劣化を検出すると受信アラーム信号（Ｒ−ＡＬＭ）を作成する。
【００３９】
この場合、送信側においてＰＤＨ信号のＬＯＦが発生した場合はＶＣに多重されるペイロードデーターにはＡＩＳが挿入されるため、監視する状態はＬＯＦ，ＡＩＳ，ＳＦ，ＳＤのみで良い。このように、本実施例ではＰＤＨ信号に障害が発生した場合に、受信警報検出部（Ｒ−ＡＬＭ  ＤＥＴ−Ｅ，Ｗ）３２５，３２６による受信警報信号（Ｒ−ＡＬＭ）によってパススイッチ部（Ｐ−ＳＷ）３０４が直接切り換えられるため、図５の例でいえばネットワーク・エレメント（ＳＤＨ  ＮＥ＃１）６１だけの制御でサービス救済が可能となる。従って、図６に示したような送信側機能の追加は不要となる。
【００４０】
図１３に示すように、各受信警報検出部３２５，３２６は、先ず従来のパスモニタ（ＰＭＯＮ−Ｅ，Ｗ）３０２，３０３でパス警報信号（Ｐ−ＡＬＭ）の検出を行う（Ｓ３２０）。Ｐ−ＡＬＭ信号が検出された場合にはＰ−ＡＬＭ処理（Ｓ３２２、図１４）を行い、Ｐ−ＡＬＭ信号が検出されない場合には受信警報信号（Ｒ−ＡＬＭ）の処理を行う（Ｓ３２１、図１５）。なお、図１４でＰ−ＡＬＭ信号と合わせてＲ−ＡＬＭ処理（図１５）も行っている。
【００４１】
次に、図１６〜図２３は、前述した第２の問題点を解決するための本願発明によるパス・スイッチ・リング制御装置の実施例を示したものである。
図１６は、図５のＰＤＨサブネットワークを含むＳＤＨネットワークであって、さらに前記ＰＤＨネットワークがクロス・コネクト装置（ＰＤＨ  ＤＸＣ）６８を含む場合を示している。この場合、これまでに述べた本願発明の第１及び第２の実施例によって問題点１が解決したとしても、本例のようにＰＤＨサブネットワークにクロス・コネクト装置６８が存在し、そのクロス・コネクト装置６８で設定誤りが生じたような場合には、ＳＤＨネットワーク側の各終端ネットワーク・エレメント（ＳＤＨ  ＮＥ＃２，３）６２，６３の間で通信データの誤接続や消失等が発生する。その結果、サービスアクセスポイントＡ点、Ｂ点を有する各ネットワーク・エレメント（ＳＤＨ  ＮＥ＃１，４）６１，６４には障害検出すらできなくなった誤った信号が与えられることになる。
【００４２】
図１７は、本願発明によるパス・スイッチ・リング制御装置の受信側機能部５０（図３）の第１の実施例を示したものである。また、図１８は、図１７と対応する本願発明によるパス・スイッチ・リング制御装置の送信側機能部４０（図３）の第２の実施例を示したものである。そして、図１９は、図１８の送信側機能部の基本処理フローの一例を示している。
【００４３】
図１７の受信側機能部は、図１６の例で例えばネットワーク・エレメント（ＳＤＨＮＥ＃３）６３の受信側機能部５０に対応する。
図１７において、メモリ部（ＭＥＭ−１）５１２は、ＶＣ入力信号（ＶＣＩＮ）を一時バッファリングし、図２で示したＡＵポインタが指示するパスオーバヘッド（ＰＯＨ）の先頭位置からＰＯＨ部分を抽出する。パスオーバヘッド検出部（ＰＯＨ  ＤＥＴ）５１１は、その抽出されたＰＯＨデータ内のＪ１、Ｃ２、そしてＢ３バイト等を分離する。デマッピング部（ＤＭＡＰ）５１３は、デマッピング処理により前記メモリ部５１２内のＶＣ信号からＰＤＨサブネットワークへ送出するＰＤＨ信号を抽出する。
【００４４】
フレーム検出部（ＦＲＡＭＥ  ＤＥＴ）５１５は、前記ＰＤＨ信号のフレームを検出してパストレースデータを挿入するためのＰＤＨフレームの中のスペアビット（未定義ビット）の位置を検出し、その挿入タイミング（ＴＲＣ  ＩＮＳＴＭＧ）を作成する。トレースメモリ部（ＴＲＣ  ＭＥＭ）５１４には、マイクロコンピュータインタフェース（μ−ＣＯＮＩＮＦ）を介して前記パスオーバヘッド検出部５１１で抽出されたパストレース情報（Ｊ１）がトレース挿入データ（ＴＲＣ  ＩＮＳ  ＤＡＴＡ）として設定され、そのデータは前記フレーム検出部５１５からの挿入タイミング（ＴＲＣ  ＩＮＳＴＭＧ）に従って１ビットずつ出力される。トレース挿入部（ＴＲＣ  ＩＮＳ）は、前記挿入タイミングに対応するＰＤＨ出力信号（ＰＤＨＯＵＴ）のスペアビット位置にトレースメモリ部５１４からのトレース挿入データを挿入していく。
【００４５】
図１８の送信側機能部は、図１６の例では例えばネットワーク・エレメント（ＳＤＨＮＥ＃２）６２の送信側機能部４０と対応する。
図１８は、図６で示した送信側機能部の第１の実施例とフレーム検出部（ＦＲＡＭＥ  ＤＥＴ）４２１及びパストレース検出部（Ｐ−ＴＲＣ  ＤＥＴ）４２２だけが異なる。以降ではそれらについてだけ説明する。
フレーム検出部（ＦＲＡＭＥ  ＤＥＴ）４２１は、受信したＰＤＨフレームの中からトレースデータを挿入したスペアビットの位置を検出してそのトレースデータの読み込みタイミング（Ｐ−ＴＲＣＴＭＧ）を作成する。
【００４６】
パストレース検出部（Ｐ−ＴＲＣＤＥＴ）４２２は、前記読み込みタイミングに従ってトレースデータを取り込み、マイクロコンピュータインタフェース（μ−ＣＯＮＩＮＦ）を介して設定されたトレースデータの受信期待値と比較する。そして前記比較結果が不一致の場合には不一致アラーム信号（ＭＩＳ−ＴＲＣ  ＡＬＭ）を出力する。図１９にはその基本処理フローが示されている。先ず前記パストレース受信期待値が設定され（Ｓ４２０）、そしてそれと実際に受信したパストレース受信値（Ｓ４２１）とを比較し（Ｓ４２２）、その結果不一致の場合に送信アラーム信号が送出される（Ｓ４２３）。
【００４７】
このように、本実施例における送信アラーム検出部（Ｓ−ＡＬＭＤＥＴ）４１３では、送信アラーム信号（Ｓ−ＡＬＭ）の要因として新たに前記不一致アラーム信号（ＭＩＳ−ＴＲＣＡＬＭ）が追加されている。従って、本実施例によればＰＤＨサブネットワークがクロス・コネクト装置（ＰＤＨ  ＤＸＣ）６８を含み、その誤設定等によって回線誤接続が生じたような場合でも、前記トレース情報の不一致による送信アラーム信号（Ｓ−ＡＬＭ）がＳＤＨネットワーク内のサービスアクセスポイント（本例ではＳＤＨ  ＮＥ＃１のＡ点）に送出される。その結果、前記ネットワーク・エレメントはそのパススイッチ部３０４を切り換えて前記ＰＤＨサブネットワークを含まない側のパスルートを選択することが可能となる。
【００４８】
図２０は、本願発明によるパス・スイッチ・リング制御装置の受信側機能部５０（図３）の第２の実施例を示したものである。また、図２１は、本願発明によるパス・スイッチ・リング制御装置の送信側機能部４０（図３）の第３の実施例を示したものである。図２０及び図２１とも、前述した図１７及び図１８の別の実施態様を示している。そして、図２２と図２３は、それぞれ図２０の受信側機能部と図２１の送信側機能部の基本処理フローの一例を示したものである。
【００４９】
図２０の受信側機能部では、そのパスオーバヘッド検出部（ＰＯＨ  ＤＥＴ）５２１が図１７のパスオーバヘッド検出部５１１と分離されたトレース情報（Ｊ１）を受信側機能部５０の内部でシステム側を通さずに直接受信トレースデータ（ＲＣＶ  ＴＲＣ  ＤＡＴＡ）５２１としてトレースメモリ部（ＴＲＣＭＥＭ）５１４に与える点が異なる。それ以外については図１７と同様である。図２２に示すように、トレースデータ（Ｊ１）を受信すると（Ｓ５２０）、その受信トレースデータ（ＲＣＶ  ＴＲＣＤＡＴＡ）５２１はトレースメモリ部５１４及びトレース挿入部（ＴＲＣＩＮＳ）５１６を介してＰＤＨデータのスペアビットに挿入されて送出される（Ｓ５２１）。
【００５０】
図２１の送信側機能部では、そのパストレース検出部（Ｐ−ＴＲＣＤＥＴ）４３２が図１８のパストレース検出部（Ｐ−ＴＲＣＤＥＴ）４２２と前記読み込みタイミングに従ってトレースデータを取り込み、それを受信期待値と比較することなくそのままトレースデータ（ＴＲＣ  ＤＡＴＡ）４３１としてパスオーバヘッド生成部（ＰＯＨ  ＧＥＮ）４１４に与える点が異なる。図２３に示すように、受信されたトレースデータ（Ｓ４３０）はパスオーバヘッド（ＰＯＨ）に挿入されて送出される（Ｓ４３１）。
【００５１】
このように、本実施例ではパストレース検出部４３２における不一致トレースアラーム（ＭＩＳ−ＴＲＣ  ＡＬＭ）検出機能は不要となっている。この機能はＳＤＨネットワーク内のサービスアクセスポイント（本例ではＳＤＨ  ＮＥ＃１のＡ点）におけるパスモニタ部（ＰＭＯＮ−Ｅ，Ｗ）３１２、３１３で、受信された前記トレースデータ（ＴＲＣＤＡＴＡ）とマイクロコンピュータインタフェース（μ−ＣＯＮＩＮＦ）を介して設定されたトレースデータの受信期待値との比較によって実行され、それによってパススイッチ部３０４が切り換えられる。このように、本実施例も前述した実施例と同様にＰＤＨサブネットワーク内で回線の誤接続が発生してもパススイッチの切り換えが可能となる。
【００５２】
次に、図２４〜図３７は、前述した第３及び第４の問題点を解決するための本願発明によるパス・スイッチ・リング制御装置の実施例を示したものである。
図２４は、ＰＤＨサブネットワーク内にさらにＳＤＨサブネットワークが接続された構成例を示したものである。本構成は、先に述べた問題点３及び４と関連しており、これまで述べた問題点１及び２が上記本願発明によって解決されたとしても依然として以下の問題が生じ得る。
【００５３】
第３の問題点でいえば、ＰＤＨサブネットワーク＃１のＤ点で障害が発生した場合を考えると、内包するＳＤＨサブネットワークにおけるネットワーク・エレメント（ＳＤＨＮＥ＃８）７２がその対向する２つのネットワーク・エレメント（ＳＤＨＮＥ＃７，９）７１，７３から受信する信号は共にサービス不可能な信号となる。この場合、終端ネットワーク・エレメント７２におけるパスは現状保持されるはずであるが、実際には２つのパスルート間の信号遅延時間の相違によって不必要なパスの切り換えが発生し、さらにそのイベント通知が同期装置管理機能部（ＳＥＭＦ）に対して行われる。
【００５４】
また第４の問題点でいえば、本例ではパス信号はＳＤＨネットワークからＰＤＨサブネットワークへ、さらにそのＰＤＨサブネットワークからＳＤＨサブネットワークへと伝送され、そしてそれとは逆の伝送によって最初のＳＤＨネットワークへ戻るというように複数のＳＤＨ−ＰＤＨネットワーク間を通過することになる。そのため、その間に実行されるＰＤＨ／ＳＤＨ多重・分離処理によってマッピング／デマッピング・ジッタが発生し、それらが累積されて回線品質が劣化することになる。
【００５５】
図２５は、本願発明によるパス・スイッチ・リング制御装置のパススイッチング部３０（図３）の第３の実施例を示している。図２６は、図２５のパススイッチング部の基本処理フローの一例を示したものである。また、図２７から図２９は、図２６における各Ｐ，Ｓ，及びＲ−ＡＬＭ処理の一例を示したものである。
【００５６】
図２５のパススイッチング部は、図２４の例で例えば各サービスアクセスポイントＡ，Ｂ点を有するネットワーク・エレメント（ＳＤＨＮＥ＃１，４）６１，６４のパススイッチング部３０に対応する。
図２５のパススイッチング部３０は、先に述べた第１及び第２の実施例（図７及び１２）を含み、それにさらにパスチェック部（Ｐ−ＣＨＥＣＫ）３３２を新たに付加したものであり、またパススイッチ制御部（ＰＳＷ  ＣＯＮＴ）３３１の機能を一部変更したものである。
【００５７】
前記パスチェック部３３２は、今までに述べた各アラーム信号（Ｐ−ＡＬＭ，Ｓ−ＡＬＭ，及びＲ−ＡＬＭ）の連続性を監視するものである。これは、アラーム信号検出直後のパススイッチ部３０４のスイッチ切り換え動作を禁止するためであり、そのため所定の監視時間以内に他方のパスにアラームが発生しない間は制御キャンセル信号（ＣＯＮＴ  ＣＡＮ）３３３をパススイッチ制御部（ＰＳＷＣＯＮＴ）３３１に与える。前記パススイッチ制御部３３１は、その制御キャンセル信号（ＣＯＮＴ  ＣＡＮ）３３３が与えられている間はパスの切り換え制御がディスエイブルされ、そのままのスイッチ切り換え状態が保持される。これによって、ＳＤＨサブネットワークにおける遅延時間の相違等による不必要なパスの切り換えが抑止される。
【００５８】
図２６は、前記パススイッチの制御フロー例を示したものであり、先ず各アラーム信号の発生を検出する（Ｓ３３０〜３３２）。そして、各アラームの検出毎にその連続性を監視し（Ｓ３３３，３３６，及び３３９）、所定の監視時間内にアラームが復旧した時は最初のフローに戻り（Ｓ３３４，３３７，３３Ａ）、その時間の経過後（Ｓ３３５，３３８，３３Ｂ）に各アラームに対応したパススイッチの切り換え処理を実行する（Ｓ３３Ｃ）。図２７〜図２９は前記各アラーム対応の処理例が示されている。
【００５９】
図３０は、本願発明によるパス・スイッチ・リング制御装置の送信側機能部４０（図３）の第４の実施例を示したものである。図３１は、本願発明によるパス・スイッチ・リング制御装置のパススイッチング部３０（図３）の第４の実施例を示したものである。図３２は、図３０の送信側機能部の基本処理フロー例を示したものである。図３３は、図３１のパススイッチング部の基本処理フロー例を示したものである。また、図３４〜図３７は、図３３における各Ｐ，Ｓ，Ｒ及びＰ−ＡＣＴ処理の一例を示したものである。
【００６０】
図３０の送信側機能部は、図２４の例で例えばサービスアクセスポイントＡ点のネットワーク・エレメント（ＳＤＨＮＥ＃１）６１の送信側機能部４０に対応する。図３０では、パスオーバヘッド生成部（ＰＯＨ  ＧＥＮ）４４４にマイクロコンピュータインタフェース部（μ−ＣＯＮＩＮＦ）を介してＰＤＨサブネットワークを通過するか否かの判断のために使用されるパススイッチ機能有効メッセージ（Ｐ−ＡＣＴ）が設定される。図３２に示すように、本機能を使用する場合にはＰ−ＡＣＴ＝Ｙが設定され（Ｓ４４１）、反対に使用しない場合にはＰ−ＡＣＴ＝Ｎが設定される（Ｓ４４２）。前記メッセージは、パスオーバヘッド挿入部（ＰＯＨＩＮＳ）４１２でパスオーバヘッド（ＰＯＨ）に挿入されてＳＤＨリングネットワークの両方向のパスに出力される（ＶＣＯＵＴ−Ｅ，Ｗ）。
【００６１】
図３１のパススイッチング部３０は、図３０の説明に対応するとサービスアクセスポイントＢ点のネットワーク・エレメント（ＳＤＨＮＥ＃４）６４のパススイッチング部３０に対応する。図３１のパスモニタ部（ＰＭＯＮ−Ｅ，Ｗ）３４２，３４３は、さらに図３０でパスオーバヘッドに付加されたパススイッチ機能有効メッセージ（Ｐ−ＡＣＴ）を監視する。そして、各入力信号（ＶＣＩＮ−Ｅ，Ｗ）から前記メッセージを検出すると、それに対応するＰ−ＡＣＴ信号をパススイッチ制御部（ＰＳＷ  ＣＯＮＴ）３４１に与える。前記パススイッチ制御部３４１は、いずれか一方のパスにＰ−ＡＣＴ信号が検出された場合にのみ自動的にそのパスを選択する。図３１に示すように、パススイッチング部３０は前記Ｐ−ＡＣＴ信号を含む各アラーム信号を検出し、図３４〜図３７に示す各対応する処理を実行する。
【００６２】
本実施例のＰ−ＡＣＴメッセージは、ＰＳＷ機能を持たないＶＣパスの終端装置では無視され、そしてメッセージの生成は行われない。従って、図２４でサービスアクセスポイントＡ点のネットワーク・エレメント（ＳＤＨＮＥ＃１）６１が対向するネットワーク・エレメント（ＳＤＨＮＥ＃２及び５）６２，６５の両方向にＰ−ＡＣＴメッセージを送出した場合に、サービスアクセスポイントＢ点のネットワーク・エレメント（ＳＤＨＮＥ＃４）６４は一方のネットワーク・エレメント６５からくるＶＣパスのＰ−ＡＣＴメッセージを検出するが、他方のＰＤＨサブネットワークを通過したネットワーク・エレメント（ＳＤＨＮＥ＃３）６３からくるＶＣパスにはＰ−ＡＣＴメッセージは存在せずそれを検出することはできない。
【００６３】
その結果、サービスアクセスポイントＢ点のネットワーク・エレメント６４は、両方のパスが正常な場合はＰＤＨネットワークを含まないＳＤＨネットワーク側のパスを自動的に選択することになる。なお、Ｐ−ＡＣＴメッセージは１又は０の２値でよいため、未定義パスオーバヘッド（ＰＯＨ）の中の１ビットだけを使用すればよい。これによって、ＰＤＨサブネットワークを含むＳＤＨネットワークにおいてジッターの少ないパスを自動的に選択することが可能となる。
【００６４】
【発明の効果】
以上述べたように、本発明によればＰＤＨサブネットワークを含むＳＤＨリングネットワークにおいて、ＰＤＨサブネットワークの障害に対してもパス・スイッチ切り換えによりサービス断の回避が可能となり、又、正常時は回線品質のよいルートを自動的に選択でき、既存のＰＤＨ装置を有効に活用するという点において経済的なネットワークアプリケーションを提供することが可能となる。
【図面の簡単な説明】
【図１】ＳＤＨパス・スイッチ・リングネットワークの一構成例を示したブロック図である。
【図２】ＳＤＨフレームの基本構造を示した図である。
【図３】ＳＤＨネットワークにおけるパス・スイッチ・リング制御装置の構成例を示した図である。
【図４】図３に示すパススイッチング（ＰＳＷ）部の基本ブロック図である。
【図５】ＰＤＨサブネットワークを含むＳＤＨネットワークの一構成例を示した図である。
【図６】本願発明によるパス・スイッチ・リング制御装置の送信側機能部第１の実施例を示した図である。
【図７】本願発明によるパス・スイッチ・リング制御装置のパススイッチング部の第１の実施例を示した図である。
【図８】図６の送信側機能部の基本処理フロー図である。
【図９】図７のパススイッチング部の基本処理フロー図である。
【図１０】Ｐ−ＡＬＭ処理の一例を示した図である。
【図１１】Ｓ−ＡＬＭ処理の一例を示した図である。
【図１２】本願発明によるパス・スイッチ・リング制御装置のパススイッチング部の第２の実施例を示した図である。
【図１３】図１２のパススイッチング部の基本処理フロー図である。
【図１４】Ｐ−ＡＬＭ処理の一例を示した図である。
【図１５】Ｒ−ＡＬＭ処理の一例を示した図である。
【図１６】クロス・コネクト装置を伴うＰＤＨサブネットワークを含むＳＤＨネットワークの一例を示した図である。
【図１７】本願発明によるパス・スイッチ・リング制御装置の受信側機能部の第１の実施例を示した図である。
【図１８】本願発明によるパス・スイッチ・リング制御装置の送信側機能部の第２の実施例を示した図である。
【図１９】図１８の送信側機能部の基本処理フローの一例を示した図である。
【図２０】本願発明によるパス・スイッチ・リング制御装置の受信側機能部の第２の実施例を示した図である。
【図２１】本願発明によるパス・スイッチ・リング制御装置の送信側機能部の第３の実施例を示した図である。
【図２２】図２０の受信側機能部の基本処理フローの一例を示した図である。
【図２３】図２１の送信側機能部の基本処理フローの一例を示した図である。
【図２４】ＰＤＨサブネットワーク内にさらにＳＤＨサブネットワークが接続されたＳＤＨネットワーク構成例を示した図である。
【図２５】本願発明によるパス・スイッチ・リング制御装置のパススイッチング部の第３の実施例を示した図である。
【図２６】図２５のパススイッチング部の基本処理フロー例を示した図である。
【図２７】図２６におけるＰ−ＡＬＭ処理の一例を示した図である。
【図２８】図２６におけるＳ−ＡＬＭ処理の一例を示した図である。
【図２９】図２６におけるＲ−ＡＬＭ処理の一例を示した図である。
【図３０】本願発明によるパス・スイッチ・リング制御装置の送信側機能部の第４の実施例を示した図である。
【図３１】本願発明によるパス・スイッチ・リング制御装置のパススイッチング部の第４の実施例を示した図である。
【図３２】図３０の送信側機能部の基本処理フロー例を示した図である。
【図３３】図３１のパススイッチング部の基本処理フロー例を示した図である。
【図３４】図３３におけるＰ−ＡＬＭ処理の一例を示した図である。
【図３５】図３３におけるＳ−ＡＬＭ処理の一例を示した図である。
【図３６】図３３におけるＲ−ＡＬＭ処理の一例を示した図である。
【図３７】図３３におけるＰ−ＡＣＴ処理の一例を示した図である。
【符号の説明】
１１〜１４…ネットワーク・エレメント
３０…パススイッチング部
１５，２２…同期物理インタフェース
１６，２１…再生終端部
１７，２０…多重終端部
１８，１９…多重適合部
３０２，３０３…パスモニタ部
３０１…パススイッチ制御部
３０４…パススイッチ部
４１１…マッピング部
４１２…パスオーバヘッド挿入部
４１３…送信アラーム検出部
４１４…パスオーバヘッド生成部
４１５…ビットパリティエラー生成部
３２５，３２６…受信アラーム検出部
６１〜６５，７０〜７３…ＳＤＨネットワーク・エレメント
６６，６７，６９，７４…ＰＤＨネットワーク・エレメント
６８…クロスコネクト装置
５１１…パスオーバヘッド検出部
５１２…メモリ部
５１３…デマッピング部
５１４…トレースメモリ部
５１５…フレーム検出部
５１６…トレース挿入部
４２２…パス・トレース検出部
３３２…パスチェック部
【図１】
0003775859.tif 000002
【図２】
0003775859.tif 000003
【図３】
0003775859.tif 000004
【図４】
0003775859.tif 000005
【図５】
0003775859.tif 000006
【図６】
0003775859.tif 000007
【図７】
0003775859.tif 000008
【図８】
0003775859.tif 000009
【図９】
0003775859.tif 000010
【図１０】
0003775859.tif 000011
【図１１】
0003775859.tif 000012
【図１２】
0003775859.tif 000013
【図１３】
0003775859.tif 000014
【図１４】
0003775859.tif 000015
【図１５】
0003775859.tif 000016
【図１６】
0003775859.tif 000017
【図１７】
0003775859.tif 000018
【図１８】
0003775859.tif 000019
【図１９】
0003775859.tif 000020
【図２０】
0003775859.tif 000021
【図２１】
0003775859.tif 000022
【図２２】
0003775859.tif 000023
【図２３】
0003775859.tif 000024
【図２４】
0003775859.tif 000025
【図２５】
0003775859.tif 000026
【図２６】
0003775859.tif 000027
【図２７】
0003775859.tif 000028
【図２８】
0003775859.tif 000029
【図２９】
0003775859.tif 000030
【図３０】
0003775859.tif 000031
【図３１】
0003775859.tif 000032
【図３２】
0003775859.tif 000033
【図３３】
0003775859.tif 000034
【図３４】
0003775859.tif 000035
【図３５】
0003775859.tif 000036
【図３６】
0003775859.tif 000037
【図３７】
0003775859.tif 000038